(57)【要約】【課題】本発明は本体ケースの上部にスイッチ手段を備えた空気調和装置に関するものである。【解決手段】そしてこの目的を達成するために本発明は、スイッチボックス部９には、複数の開口である孔部１０と、この孔部１０のスイッチボックス部９における一方側長辺側の開口縁から内方へ伸びた脚部１１と、この脚部１１の先端に設けたボタン部１２とからなり、スイッチボックス部９の孔部１０とスイッチボックス部９の一方側長辺の周縁部との間に、スイッチボックス部９の上面の変形を抑制する変形抑制手段を設けたことを特徴とし、スイッチ手段６のボタン部１２周辺を押したとき、スイッチボックス部９上面に加わる挿圧力は、変形抑制手段によって、スイッチボックス部９のたわみが発生する応力以下となる為、スイッチボックス部９のたわみを抑制させ、スイッチの誤動作を低減する空気調和装置を得られるものである。【選択図】図１
2013204831.tif 000002
【特許請求の範囲】
【請求項１】
吸気口と排気口を有する本体ケースと、この本体ケース内に設けられた空気調和手段と、前記吸気口から本体ケース内に吸気した空気を前記空気調和手段を介して排気口へと送風する送風手段とを備え、前記本体ケースの上部にスイッチ手段を設け、このスイッチ手段は、下方が開口した略横長四角椀形状のスイッチボックス部と、前記スイッチボックス部の下部に固定される基板部から形成し、この基板部には、スイッチボタン部を有し、前記スイッチボックス部には、複数の開口である孔部と、この孔部の前記スイッチボックス部における一方側長辺側の開口縁から内方へ伸びた脚部と、この脚部の先端に設けたボタン部と、このボタン部の下面から下方に伸びた操作ピンとからなり、前記ボタン部の上面を下方向へ押すことにより前記脚部がたわむと共に、前記操作ピンが前記スイッチボタン部を押す構成で、前記スイッチボックス部の前記孔部と前記スイッチボックス部の一方側長辺の周縁部との間に、前記スイッチボックス部の上面の変形を抑制する変形抑制手段を設けたことを特徴とする空気調和装置。
【請求項２】
前記変形抑制手段は、前記スイッチボックス部における一方側短辺の周縁部から他方側短辺の周縁部へ伸びると共に、前記スイッチボックス部の下面に固定された第一のリブであることを特徴とする請求項１に記載の空気調和装置。
【請求項３】
前記第一のリブは、前記基板部に接触する高さとした請求項２に記載の空気調和装置。
【請求項４】
前記スイッチボックス部は、前記第一のリブから前記スイッチボックスの一方側長辺の周縁部に向かい伸びた複数の第二のリブを設けた請求項２または３に記載の空気調和装置。
【請求項５】
前記スイッチボックス部の前記孔部と前記第一のリブとの間には、前記スイッチボックス部から下方に伸びた複数の突起が形成されており、この突起は前記基板部に接触する高さとした請求項２から４のいずれかに記載の空気調和装置。
【請求項６】
前記スイッチボックス部は、前記基板部を固定する複数の固定部を有し、この固定部は、前記スイッチボックス部の前記孔部の近傍と、前記第一のリブと前記スイッチボックスの一方側長辺の周縁部との間とに位置している構成とした請求項２から５のいずれかに記載の空気調和装置。
【発明の詳細な説明】
【技術分野】
【０００１】
本発明は、本体ケースの上部にスイッチ手段を備えた空気調和装置に関するものである。
【背景技術】
【０００２】
従来、吸気口と排気口を有する本体ケースと、この本体ケース内に設けられた空気調和手段と、前記吸気口から本体ケース内に吸気した空気を前記空気調和手段を介して排気口へと送風する送風手段とを備え、前記本体ケースの上部にスイッチ手段を設けた構成となっていた。（例えば、特許文献１）。
【先行技術文献】
【特許文献】
【０００３】
【特許文献１】特開２０１１−１８５５５７号公報
【発明の概要】
【発明が解決しようとする課題】
【０００４】
このような従来の空気調和装置における課題は、スイッチ手段のボタン部周辺を押したとき、スイッチが誤動作する場合があるということであった。
【０００５】
すなわち、スイッチ手段のボタン部周辺を押したとき、スイッチボックスが長辺方向にたわみ、スイッチボックス部の下部に固定される基板部のスイッチ部を、ボタン部裏面より垂直に伸びる操作ピンが押すことにより、スイッチの誤動作が発生する。
【０００６】
そこで本発明は、スイッチ手段のボタン部周辺を押したとき、スイッチボックス部の上面の変形を抑制する変形抑制手段によりスイッチボックスの強度を増加させ、スイッチボックスのたわみを抑制することを目的とするものである。
【課題を解決するための手段】
【０００７】
そして、この目的を達成するために、本発明は、吸気口と排気口を有する本体ケースと、この本体ケース内に設けられた空気調和手段と、前記吸気口から本体ケース内に吸気した空気を前記空気調和手段を介して排気口へと送風する送風手段とを備え、前記本体ケースの上部にスイッチ手段を設け、このスイッチ手段は、下方が開口した略横長四角椀形状のスイッチボックス部と、前記スイッチボックス部の下部に固定される基板部から形成し、この基板部には、スイッチボタン部を有し、前記スイッチボックス部には、複数の開口である孔部と、この孔部の前記スイッチボックス部における一方側長辺側の開口縁から内方へ伸びた脚部と、この脚部の先端に設けたボタン部と、このボタン部の下面から下方に伸びた操作ピンとからなり、前記ボタン部の上面を下方向へ押すことにより前記脚部がたわむと共に、前記操作ピンが前記スイッチボタン部を押す構成で、前記スイッチボックス部の前記孔部と前記スイッチボックス部の一方側長辺の周縁部との間に、前記スイッチボックス部の上面の変形を抑制する変形抑制手段を設けたことを特徴とするものである。
【０００８】
これにより初期の目的を達成するものである。
【発明の効果】
【０００９】
以上のように本発明は、空気調和装置おけるスイッチ手段のボタン部周辺を押したとき、スイッチの誤動作を低減出来るものである。
【００１０】
すなわち、吸気口と排気口を有する本体ケースと、この本体ケース内に設けられた空気調和手段と、前記吸気口から本体ケース内に吸気した空気を前記空気調和手段を介して排気口へと送風する送風手段とを備え、前記本体ケースの上部にスイッチ手段を設け、このスイッチ手段は、下方が開口した略横長四角椀形状のスイッチボックス部と、前記スイッチボックス部の下部に固定される基板部から形成し、この基板部には、スイッチボタン部を有し、前記スイッチボックス部には、複数の開口である孔部と、この孔部の前記スイッチボックス部における一方側長辺側の開口縁から内方へ伸びた脚部と、この脚部の先端に設けたボタン部と、このボタン部の下面から下方に伸びた操作ピンとからなり、前記ボタン部の上面を下方向へ押すことにより前記脚部がたわむと共に、前記操作ピンが前記スイッチボタン部を押す構成で、前記スイッチボックス部の前記孔部と前記スイッチボックス部の一方側長辺の周縁部との間に、前記スイッチボックス部の上面の変形を抑制する変形抑制手段を設けたことを特徴とするものであり、空気調和装置におけるスイッチ手段のボタン部周辺を押したとき、スイッチの誤動作を低減出来るものである。
【００１１】
すなわち、スイッチボックス部の孔部とスイッチボックス部の一方側長辺の周縁部との間に、スイッチボックス部の上面の変形を抑制する変形抑制手段を設けたのである。
【００１２】
以上の構成から、スイッチ手段のボタン部周辺を押したとき、変形抑制手段によって、スイッチボックス部上面に発生する孔部の開口縁から内方へ伸びた脚部側のたわみを低減できる。
【００１３】
これらの結果により、スイッチボックス部のたわみによるボタン部の移動距離を抑制させ、スイッチの誤動作を低減することができる。
【図面の簡単な説明】
【００１４】
【図１】本発明の空気調和装置の実施形態１の概略断面を示す図
【図２】本空気調和装置を示す斜視図
【図３】本空気調和装置のスイッチ手段を示す斜視図
【図４】本空気調和装置のスイッチボックス部を示す斜視図
【図５】本空気調和装置のスイッチボックス部を示す斜視図
【発明を実施するための形態】
【００１５】
（実施の形態１）
以下本発明の一実施形態を添付図面を用いて説明する。図１、２に示すように、本実施形態の空気調和装置は、吸気口２と排気口３を有する本体ケース１と、この本体ケース１内に設けられた空気調和手段４と、送風手段５と、上部に設けられたスイッチ手段６とから構成している。
【００１６】
本体ケース１は、縦長箱形状で、背面側側面には、略四角形状の吸気口２を設け、天面には、横長四角形状の排気口３を備えている。吸気口２に対向して、送風手段５を備えている。この送風手段５と吸気口２との間には、吸気口２に対向して空気調和手段４を設けている。送風手段５によって、吸気口２から吸い込まれた空気が、空気調和手段４へ送風される。
【００１７】
空気調和手段４の一例は、除湿手段４ａである。この除湿手段４ａへ送風手段５によって、吸気口２から吸い込まれた空気が、除湿手段４ａへ送風される。この除湿手段４ａで除湿された空気が、排気口３より送風される。なお、空気調和手段４は、加湿手段、空気清浄手段でも良い。
【００１８】
送風手段５は、スクロール形状のケーシング部５ａと、このケーシング部５ａに固定されたモータ部５ｂと、このモータ部５ｂによって回転する羽根部５ｃとから形成している。ケーシング部５ａは、本体ケース１の吸気口２に対向した側面に、円形状の吸込口５ｄを備え、上面に、四角形状の吐出口５ｅを備えている。
【００１９】
スイッチ手段６は、図２から図５に示すように、スイッチボックス部９と、メンブレンシート部７と、基板部８とから形成されている。
【００２０】
スイッチボックス部９は、下方が開口した略横長四角椀形状で、孔部１０と、脚部１１と、ボタン部１２とから形成されている。また、基板部８から伸びているＬＥＤを集光する略円筒形状の開口部１３を複数有した構成としている。この開口部１３はある一定の肉厚を有すリブ形状で、ＬＥＤの箇所に応じ、円筒が連なった構成としてもよい。
【００２１】
孔部１０は、スイッチボックス部９内の複数の開口箇所で、脚部１１、ボタン部１２と同形状を成している。孔部１０とスイッチボックス部９における一方側長辺側との距離は、孔部１０とスイッチボックス部９における他方側長辺側との距離より長いものである。
【００２２】
脚部１１は、孔部１０のスイッチボックス部９における一方側長辺側の開口縁から内方へ伸びた構成としており、ボタン部１２に対し、２本以上とした構成なっている。また、ボタン部１２、スイッチボックス部９に対し、一段底面側に落ちこんだ位置関係となっている。
【００２３】
ボタン部１２は、脚部１１の先端に設けた構成とし、下面側には、基板部８に設けられたスイッチを挿圧する為の垂直に伸びる操作ピン１５を有している。
【００２４】
メンブレンシート部７は、スイッチボックス部９の上面を覆う略平板形状を成し、裏面にはスイッチ箇所を除き、接着用の糊が塗布されている。
【００２５】
基板部８は、スイッチボックス部９の下部に固定された構成としている。この固定方法は、スイッチボックス部９に設けられたネジボスとネジによるものや、スイッチボックス部９に設けられたツメによる固定でもよい。また、入力を感知するスイッチボタン部２０を有した構成としている。
【００２６】
すなわち、スイッチボックス部９の上面に貼られたメンブレンシート部７のスイッチ部１４を挿圧すると、スイッチボックス部９のボタン部１２に挿圧力が加わり、裏面に設けられた垂直に伸びる操作ピン１５を介し、基板部８のスイッチボタン部２０へ挿圧力が伝達され、操作内容が入力される。
【００２７】
本実施形態における特徴は、スイッチボックス部９の孔部１０と一方側長辺の周縁部との間に、スイッチボックス部９の上面の変形を抑制する変形抑制手段を設けた点である。
【００２８】
すなわち、スイッチボックス部の孔部とスイッチボックス部の一方側長辺の周縁部との間に、スイッチボックス部の上面の変形を抑制する変形抑制手段を設けたのである。
【００２９】
以上の構成から、スイッチ手段のボタン部周辺を押したとき、変形抑制手段によって、スイッチボックス部上面に発生する孔部の開口縁から内方へ伸びた脚部側のたわみを低減できる。
【００３０】
これにより、メンブレンシート部７のスイッチ部１４以外を挿圧した場合、スイッチボックス部９が長辺方向がたわみ、脚部１１ごとボタン部１２が基板側に押され、スイッチが誤動作する可能性があるのを、スイッチボックス部９の強度を向上させることでたわみを抑制し、低減させることができる。
【００３１】
これらの結果により、スイッチボックス部のたわみによるボタン部の移動距離を抑制させ、スイッチの誤動作を低減することができる。
【００３２】
変形抑制手段は、スイッチボックス部９における一方側短辺の周縁部から他方側短辺の周縁部へ伸びると共に、前記スイッチボックス部９の下面に固定された第一のリブ１６である。これにより、スイッチボックス部９の強度を増加させ、ボタン部１２周辺の挿圧によるスイッチボックス部９の下面の長手方向のたわみを抑制することができ、スイッチ周辺部挿圧によるスイッチの誤動作を抑制できる。
【００３３】
また、第一のリブ１６は、基板部８に接触する高さとしてもよい。これにより、ボタン部１２周辺の挿圧によりスイッチボックス部９に発生する応力に対し、第一のリブ１６を介し基板部８へ応力を伝達し、基板部８からの反作用効果を受け、スイッチボックス部９の強度を増加させ、スイッチボックス部９の下面の長手方向のたわみを抑制し、スイッチ周辺部挿圧によるスイッチの誤動作を抑制できる。
【００３４】
また、スイッチボックス部９は、第一のリブ１６からスイッチボックス部９の一方側長辺の周縁部に向かい伸びた複数の第二のリブ１７を設けた構成としてもよい。具体的には、ボタン部１２とボタン部１２の間に一本間隔で横断しており、基板部８に接触する高さとなっている。これにより、スイッチボックス部９の強度を増加させ、ボタン部１２周辺の挿圧によるスイッチボックス部９の下面の長手・短手方向のたわみを抑制し、スイッチ周辺部挿圧によるスイッチの誤動作を抑制できる。
【００３５】
スイッチボックス部９の孔部１０と第一のリブ１６との間には、スイッチボックス部９から下方に伸びた複数の突起１８が形成されており、この突起は基板部８に接触する高さとしている。具体的には、この突起は、略円柱形状や略四角柱形状を成している。また、ＬＥＤを集光する略円筒形状の開口部１３とボタン部１２の間に位置する構成としている。これにより、ボタン部１２周辺の挿圧によりスイッチボックス部９に発生する応力に対し、応力発生箇所の直下にて基板部８へ応力を伝達し、基板部８からの反作用効果を受け、スイッチボックス部９の強度を増加させ、スイッチボックス部９の下面の長手方向のたわみを抑制し、スイッチ周辺部挿圧によるスイッチの誤動作を抑制できる。
【００３６】
また、スイッチボックス部９は、基板部８を固定する複数の固定部１９を有し、この固定部１９は、スイッチボックス部９の孔部１０の近傍と、第一のリブ１６とスイッチボックス部９の一方側長辺の周縁部との間とに位置している構成としてもよい。これにより、第一のリブ１６、第二のリブ１７、又は複数の突起１８から基板部８が伝達させる応力に対し、孔部１０近傍と、第一のリブ１６とスイッチボックス部９の一方側長辺の周縁部との間の固定部１９が応力を受け、基板の長手方向のたわみを抑制し、スイッチボックス部９のたわみを抑制することができ、スイッチ周辺部挿圧によるスイッチの誤動作を抑制できる効果を有する。
【産業上の利用可能性】
【００３７】
以上のように本発明は、空気調和装置おけるスイッチ手段のボタン部周辺を押したとき、スイッチが誤動作する可能性を低減出来るものである。
【００３８】
すなわち、吸気口と排気口を有する本体ケースと、この本体ケース内に設けられた空気調和手段と、前記吸気口から本体ケース内に吸気した空気を前記空気調和手段を介して排気口へと送風する送風手段とを備え、前記本体ケースの上部にスイッチ手段を設け、このスイッチ手段は、下方が開口した略横長四角椀形状のスイッチボックス部と、このスイッチボックス部の上面を覆う略平板形状のメンブレンシート部と、前記スイッチボックス部の下部に固定される基板部から形成し、前記スイッチボックス部には、複数の開口である孔部と、この孔部の前記スイッチボックス部における一方側長辺側の開口縁から内方へ伸びた脚部と、この脚部の先端に設けたボタン部とからなり、前記スイッチボックス部の前記孔部と前記スイッチボックス部の一方側長辺の周縁部との間に、前記スイッチボックス部の上面の変形を抑制する変形抑制手段を設けたことを特徴とするものであり、空気調和装置におけるスイッチ手段のボタン部周辺を押したとき、スイッチの誤動作を低減出来るものである。
【００３９】
すなわち、スイッチ手段のボタン部周辺に、長辺方向に縦断する変形抑制手段を設けたのである。
【００４０】
これにより、スイッチ手段のボタン部周辺を押したとき、スイッチボックス部上面に加わる挿圧力は、変形抑制手段によって、スイッチボックス部のたわみが発生する応力以下となる。
【００４１】
これらの結果により、スイッチが誤動作する可能性を低減することができる。
【００４２】
従って、家庭用や事務所用などの、空気調和装置として活用が期待されるものである。
【符号の説明】
【００４３】
１    本体ケース
２    吸気口
３    排気口
４    空気調和手段
４ａ  除湿手段
５    送風手段
５ａ  ケーシング部
５ｂ  モータ部
５ｃ  羽根部
５ｄ  吸込口
５ｅ  吐出口
６    スイッチ手段
７    メンブレンシート部
８    基板部
９    スイッチボックス部
１０  孔部
１１  脚部
１２  ボタン部
１３  開口部
１４  スイッチ部
１５  操作ピン
１６  第一のリブ
１７  第二のリブ
１８  突起
１９  固定部
２０  スイッチボタン部
【図１】
2013204831.tif 000003
【図２】
2013204831.tif 000004
【図３】
2013204831.tif 000005
【図４】
2013204831.tif 000006
【図５】
2013204831.tif 000007